(57)【要約】【課題】  水道水を一切使用せず融雪水のみを加温し、循環利用する融雪槽であって、融雪溝のない地域での利用に適した融雪槽を目的とする。【解決手段】  融雪槽を地中に埋設し、水中ヒーターと給湯器によって融雪水を加温しながら水中ポンプで循環させること、槽内に圧送パイプを架設し、Ｌ型アングル材を用いて、これに圧力水を噴出飛散させて散布して融雪を促すため省エネで安価な融雪槽が提供でき、融雪溝のない地域での利用に適している。【選択図】    図１
0003142301.tif 000002
【実用新案登録請求の範囲】
【請求項１】
地中に埋設した融雪槽（１）に水中ヒーター（２）及び水中ポンプ（３）を設け、融雪槽（１）に圧送パイプ（４）及びＬ型アングル材（５）を架設し、Ｌ型アングル材（５）に水量調節バルブ（６）を介して融雪水を直接Ｌ型アングル材（５）に向けて直接噴射散水する融雪槽であって、該融雪槽（１）の底面（７）に排水勾配αを形成した融雪水加熱循環式融雪槽。
【請求項２】
融雪水を槽外給湯器（１０）に接続する請求項１に記載の融雪水加温循環式融雪槽。
【請求項３】
水中ポンプ（３）を目の細かい金網（８）で周囲を囲む請求項１に記載の融雪水加温循環式融雪槽。
【請求項４】
融雪槽外に設けた雨水枡（２０）及び融雪槽からの排水枡（２１）を設け、両枡（２０），（２１）に連通する取入管（２２）及び排水管（２３）の先端に回動するエルボ管（２４）を設け、雨水枡（２０）においてエルボ管（２４）により通水切替えか、通水切替バルブ（２５）を設けて雨水枡（２０）内の雨水処理を行う請求項１に記載の融雪水加温循環式融雪槽。
【請求項５】
降雪センター、槽内水温センサーを設けて雪処理を自動制御する融雪水加温循環式融雪槽。
【考案の詳細な説明】
【技術分野】
【０００１】
本考案は水道水を一切使わずに融雪水のみを加温して循環使用する融雪槽に関する。
【背景技術】
【０００２】
雪国の市街地であっても流雪溝のない地域では雪処理に苦労しているのが現状である。このため種々の消雪装置や融雪槽が開発されている。このため水道水や井戸水を使用し、電熱ヒーターを使用して雪処理に対応している。
【特許文献１】実用新案登録第３１１６８８８号公報
【考案の開示】
【考案が解決しようとする課題】
【０００３】
考案者は先に省エネを目的とした融雪装置として前記特許文献１に示す考案を開発した。この考案は家庭の浴槽の廃湯を利用する融雪装置であって、省エネに加えて手軽に設置できる点で人気があり広く利用されている。しかし、家庭用の浴槽では利用できる湯の量が限られていること、及び温度の維持が困難であり、このための水道水を使用し、給湯器を利用する頻度が高くなるという欠点がみられる。
【課題を解決するための手段】
【０００４】
この点に鑑み考案者は鋭意研究を続けた結果本考案に到達したものであって、本考案は、融雪槽（１）を地中に埋設し、融雪槽（１）内に水中ヒーター（２），水中ポンプ（３）を設けて融雪水を加温し、融雪槽内の水を循環利用すること、及び一般の散水栓（シャワー式）を使用することなく、Ｌ型アングル材（５）を使用して広い面への散水で融雪を促し、さらには水中ポンプ（３）を目の細かい金網（８）で囲って、雪に混入している小さな石や泥・ゴミなどを除去して循環系路の目詰まりを防ぎ、また雪ばかりでなく雨水の処理もこの融雪槽で処理するため、雪のない季節であっても防火槽として草木に対して水やり等ができる貯水槽としても利用が可能である。
【考案の効果】
【０００５】
本考案の融雪槽は上述のように水道水を一切使用することなく、融雪水を地中の温度と水中ヒーターの加温のみで温度を保ち、たまたま投雪量の多い時のみ給湯器を使用するもので、このように加温された融雪水を循環使用するものであるから、流雪溝のない地方での使用に適し、省エネが図られ、簡単で安価に雪処理が出来るという卓越した作用効果を
奏する。
【実施例】
【０００６】
添付図面により本考案融雪槽を説明すると、図１は融雪槽（１）の平面図であって、融雪槽（１）は地中に埋設する。この融雪槽（１）に路端や屋根軒下に積み上げられた雪を投入する。投入された雪は地温と水中ヒーター（２）により加温されて融解して融雪水となる。この融雪水を水中ポンプ（３）によって循環散水しながら融雪を促す。
【０００７】
そして時には降雪が多く、雪の投入が多いときには融雪水の温度が下り、融雪能力が低下したときには槽外の給湯器（１０）に融雪水を循環供給して槽内を加温する。
【０００８】
従来一般に用いられる融雪槽には融雪手段としてボイラーからの温水を使いシャワーのような散水栓を用いて雪を処理しているが、本考案の散水は、水道水を一切使わずに、加温された融雪水を図３の拡大詳細図に示す散水装置を採用している。この散水装置については後記する。
図２は融雪槽（１）の側面図であって、融雪槽（１）の底面（７）は図示のように排水勾配αを設けて槽内の清掃を便利にしている。
【０００９】
図３は、前記したように本考案の特殊な散水装置であって、槽内上方に架設されている圧送パイプ（４）とＬ型アングル材（５）および圧送パイプ（４）に設けられている水量調整バルブ（６）から噴出された融雪水をＬ型のアングル材（５）の内面に直接噴射する。この噴射された水は跳ね返り複雑な飛沫となって勢いよく広い範囲に散水することで融雪槽の水面上に出た氷状の硬い雪でもすぐに融かすことができる。
【００１０】
融雪槽内（１）に投入した雪には、細かい砂利や泥、ゴミ等が交じっており、直接融雪水を水中ポンプ（３）で圧送循環させると、給湯器（１０）や散水バルブ（６）はじめ水中ポンプ（３）に目づまりがおきて圧送循環はできなかった。水中ポンプ（３）を直接目の細い金網（８）の籠状の容器に入れて、フィルターの役目をさせて異物を除去することにより、融雪水を直接給湯器や散水バルブに循環させることが可能になった。これにより水道配管等の工事が不要になった。
【００１１】
図４は請求項４に記載した考案の実施例で融雪槽外に設置した雨水枡（２０）及び融雪槽からの排水枡（２１）を設けると共に、雨立樋（２２）や側溝排水管（２３）を通して融雪槽内へ冷気が侵入しないようエルボ管（２４）を枡内に貯めた水中に潜るようにして風止し、融雪槽内の水温保持をする。又、雨水取入枡を設けるとともに、雨水取入管及び
雨水排水管には、エルボ返しによる雨水の通水切替か、通水切替バルブ（２５）を設けて冬は融雪、降雪期以外は融雪槽内に雨水を取入れ、防火水槽や内蔵されている水中ポンプを可動させることにより、庭木等の散水に利用できオールシーズン省エネ活用ができる。
【００１２】
融雪槽底面ドレン排水口側に勾配αを設けることにより、槽内清掃を簡単に行うことができる。そして、本考案の融雪槽には降雪センサー、槽内水温センサー等を設けることで自動制御による雪処理が簡単に行うことができ、流雪溝がない地域や雪捨て場のない人のために、ローコスト雪処理ができる装置として期待される。
【産業上の利用可能性】
【００１３】
上述のように本考案の融雪加温循環式融雪槽は、雪捨て用の流雪溝のない地域等で利用でき、しかも水道水を一切使用しない省エネ装置のため、毎年雪処理に悩む地方での利用価値は大きい。
【図面の簡単な説明】
【００１４】
【図１】融雪槽の平面図
【図２】融雪槽の側面図
【図３】散水装置の拡大説明図
【図４】融雪槽外の雨水枡の実施例図
【図５】イ、ロは雨水枡の作動説明図、ハは排水枡の実施例図
【符号の説明】
【００１５】
１  融雪槽
２  水中ヒーター
３  水中ポンプ
４  圧送パイプ
５  Ｌ型アングル材
６  水量調整バルブ
７  融雪槽底面
８  金網
１０  給湯器
２０  雨水枡
２１  排水枡
２４  エルボ管
２５  切替バルブ
【図１】
0003142301.tif 000003
【図２】
0003142301.tif 000004
【図３】
0003142301.tif 000005
【図４】
0003142301.tif 000006
【図５】
0003142301.tif 000007
【手続補正書】
【提出日】平成20年1月31日(2008.1.31)
【手続補正１】
【補正対象書類名】実用新案登録請求の範囲
【補正対象項目名】請求項５
【補正方法】変更
【補正の内容】
【請求項５】
融雪槽に降雪センサー、融雪槽内に水温センサーを設けて雪処理を自動制御することを特徴とした請求項１に記載の融雪水加温循環式融雪槽。